(57)【要約】【課題】カメラ装置付き携帯電話の手軽さを損なうことなく、近接撮影を可能とする。【解決手段】１以上のレンズからなるレンズ部と、このレンズ部の携帯電話に接する側とは反対側に設けられ、所定の空間を形成し被写体と密着する開口部を有する空間部と、この空間部のレンズ部の光軸を妨げない位置に設けられ、開口部に密着した被写体に斜め側方から平行光を照射する光源と、この光源の電源と、この電源のスイッチとを備える。光源は、互いに対向して一対以上設けられることが望ましい。例えば、光源は、ＬＥＤと、このＬＥＤから照射される光線を平行光線に変換する光学素子とを備え、この光学素子は、リング状に形成されたレンズであり、ＬＥＤは、このレンズの円周に対応する位置に複数配置されるような構成とする。【選択図】図１
2009063857.tif 000002
【特許請求の範囲】
【請求項１】
携帯電話の筐体に着脱自在なレンズ保持部と、
このレンズ保持部により保持され、前記携帯電話が有するカメラ装置の位置に装着されるレンズ装置と
を備えたレンズアタッチメントにおいて、
前記レンズ装置は、
１以上のレンズからなるレンズ部と、
このレンズ部の携帯電話に接する側とは反対側に設けられ、所定の空間を形成し被写体と密着する開口部を有する空間部と、
この空間部の前記レンズ部の光軸を妨げない位置に設けられ、前記開口部に密着した被写体に斜め側方から平行光を照射する光源と、
この光源の電源と、
この電源のスイッチと
を備えたことを特徴とするレンズアタッチメント。
【請求項２】
前記光源は、互いに対向して一対以上設けられた請求項１記載のレンズアタッチメント。
【請求項３】
前記光源は、ＬＥＤと、このＬＥＤから照射される光線を平行光線に変換する光学素子とを備えた請求項１または２記載のレンズアタッチメント。
【請求項４】
前記光学素子は、リング状に形成されたレンズであり、前記ＬＥＤは、このレンズの円周に対応する位置に複数配置された請求項３記載のレンズアタッチメント。
【発明の詳細な説明】
【技術分野】
【０００１】
本発明は、携帯電話に備えられたカメラ装置に利用する。特に、近接撮影に利用するのに適する。
【背景技術】
【０００２】
カメラ装置付き携帯電話は広く普及し、そのカメラ装置も高性能化されつつある。昨今のカメラ装置の高性能化によれば、簡単なスナップ写真の撮影のみならず、様々な用途の撮影に使用可能である。
【０００３】
さらには、特許文献１に開示されているような携帯電話用のレンズアタッチメントも提案されており、カメラ装置付き携帯電話の用途はますます広がりつつある。
【０００４】
このように、広く普及しているカメラ装置付き携帯電話であるが、その普及の主な要因は手軽さにある。すなわち、単体のカメラ装置を持ち歩かなくても写真撮影したいときに携帯電話がカメラ装置として機能する手軽さがユーザのニーズに合致している。
【０００５】
【特許文献１】特開２００４−１７０８９６号公報
【発明の開示】
【発明が解決しようとする課題】
【０００６】
上述したように、カメラ装置付き携帯電話の用途は様々に広がりつつあるが、近接撮影の分野においては、未だ解決しなければならない課題がある。それは光源である。
【０００７】
カメラ装置付き携帯電話には、夜間や暗い場所などのスナップ撮影用にＬＥＤ等を用いた簡単な光源が内蔵されているが、この光源は、近接撮影を想定しておらず、近接撮影の際には、被写体全体にムラのない撮影光の照射を行うことは困難である。かといって別途光源を用意するのではカメラ装置付き携帯電話の手軽さが損なわれるため適当ではない。
【０００８】
本発明は、このような背景の下に行われたものであって、カメラ装置付き携帯電話の手軽さを損なうことなく、近接撮影を可能とするレンズアタッチメントを提供することを目的とする。
【課題を解決するための手段】
【０００９】
本発明は、携帯電話の筐体に着脱自在なレンズ保持部と、このレンズ保持部により保持され、前記携帯電話が有するカメラ装置の位置に装着されるレンズ装置とを備えたレンズアタッチメントである。
【００１０】
ここで、本発明の特徴とするところは、前記レンズ装置は、１以上のレンズからなるレンズ部と、このレンズ部の携帯電話に接する側とは反対側に設けられ、所定の空間を形成し被写体と密着する開口部を有する空間部と、この空間部の前記レンズ部の光軸を妨げない位置に設けられ、前記開口部に密着した被写体に斜め側方から平行光を照射する光源と、この光源の電源と、この電源のスイッチとを備えたところにある。
【００１１】
これによれば、レンズアタッチメント本体に光源およびその電源が備えられているため、ユーザは、別途光源を用意する必要がなく、カメラ装置付き携帯電話の手軽さを保ったまま、近接撮影を行うことができる。
【００１２】
なお、前記光源は、被写体に対して均等に撮影光を照射するために、互いに対向して一対以上設けられることが望ましい。
【００１３】
例えば、前記光源は、ＬＥＤと、このＬＥＤから照射される光線を平行光線に変換する光学素子とを備える。この光学素子は、例えば、リング状に形成されたレンズであり、前記ＬＥＤは、このレンズの円周に対応する位置に複数配置された構成とすることができる。これによれば、撮影光は被写体に対し、周囲から満遍なく照射されるので、ムラの無い良好な撮影を行うことができる。
【発明の効果】
【００１４】
本発明によれば、カメラ装置付き携帯電話の手軽さを損なうことなく、近接撮影を可能とすることができる。
【発明を実施するための最良の形態】
【００１５】
本発明の実施形態のレンズアタッチメントを図１から図５を参照して説明する。図１は本実施形態のレンズアタッチメントを携帯電話に装着した状態の斜視図である。図２は本実施形態のレンズアタッチメントを携帯電話に装着した状態の上面図である。図３は本実施形態のレンズアタッチメントを携帯電話に装着した状態の正面図である。図４は本実施形態のレンズアタッチメントの構成図である。図５はリング状のコリメートレンズおよびリング状に配置されたＬＥＤを示す図である。
【００１６】
本発明は、携帯電話１０の筐体に着脱自在なレンズ保持部１と、このレンズ保持部１により保持され、携帯電話１０が有するカメラ装置のレンズ１２の保護ガラス１１の位置に装着されるレンズ装置２とを備えたレンズアタッチメントである。
【００１７】
レンズ保持部１は、図２に示すように、携帯電話１０の筐体を左右から挟み込む支持板１−１および１−２と、レンズ装置２を保持する保持板１−３とから構成される。なお、支持板１−１および１−２は、その軸１−４および１−５の周囲にスプリング（図示省略）が設けられ、携帯電話１０の筐体をスプリングにより発生する圧力により挟み込むようになっている。また、支持板１−１および１−２の可動範囲内であれば、多様な携帯電話１０の寸法に対応することができる。さらに、支持板１−１および１−２の携帯電話１０の筐体と接する部分には滑り止め用および傷付き防止用としてゴムシートなどを設けてもよい。
【００１８】
ここで、特徴とするところは、レンズ装置２は、図４に示すように、１以上のレンズからなるレンズ部６と、このレンズ部６の携帯電話１０に接する側とは反対側に設けられ、所定の空間を形成し被写体と密着する開口部５を有する空間部７と、この空間部７のレンズ部６の光軸（一点鎖線により図示）を妨げない位置に設けられ、開口部５に密着した被写体に斜め側方から平行光を照射する光源８と、この光源８の電源９と、この電源９のスイッチ３とを備えたところにある。
【００１９】
これによれば、レンズアタッチメント本体に光源８およびその電源９が備えられているため、ユーザは、別途光源を用意する必要がなく、カメラ装置付き携帯電話の手軽さを保ったまま、近接撮影を行うことができる。
【００２０】
なお、光源８は、被写体に対して均等に撮影光を照射するために、リング状になっている。また、光源８はコリメートレンズ８−１およびＬＥＤ８−２により実現することができる。すなわち、コリメートレンズ８−１を用いてＬＥＤ８−２から照射された光線を平行光線に変換して被写体に照射する。
【００２１】
コリメートレンズ８−１およびＬＥＤ８−２の構成をさらに詳細に説明すること、図５に示すように、コリメートレンズ８−１はリング状に形成され、ＬＥＤ８−２は、コリメートレンズ８−１の円周に対応する位置に複数配置されている。図５で示すＬＥＤ８−２の個数は一例であり、実際には、電池の容量および消費電力に基づき適宜個数を設定する。
【００２２】
また、スイッチ３は、一回押すと光源８が点灯し、さらに一回押すと光源８が滅灯するオルタネイト式であってもよいし、あるいは、スイッチ３を押している間だけ光源８が点灯する方式であってもよい。
【００２３】
また、電源９は、電池箱４に収納された電池であり、ボタン電池などの小型の電池を用いることが望ましい。なお、本実施形態では、スイッチ３は、電池箱４に取付けられている。
【００２４】
また、空間部７は、レンズ部６と被写体（破線により図示）との間の距離を一定に保つ役割と、光源８による撮影光を被写体に照射するための空間を確保する役割を持つ。これにより、レンズ部６の焦点距離の調整を不要とする。このように焦点距離の調整を不要とすることによってもカメラ装置付き携帯電話の手軽さを損なうことなく、近接撮影を可能とすることができる。
【００２５】
また、開口部５は、開口部５の縁を被写体に密着させることにより、被写体を適切な位置に固定する役割を持つ。
【００２６】
（効果の説明）
本発明の効果を図６および図７を参照して説明する。図６は従来のスナップ撮影用の光源を用いた近接撮影の状況を示す図である。図７は本発明の光源を用いた近接撮影の状況を示す図である。
【００２７】
図６に示すように、従来のスナップ撮影用の光源を近接撮影に用いると、レンズと光源との設置位置のズレに起因して撮影光の不達領域が生じる。したがって、近接撮影においては、携帯電話に備えられた光源のみによる適切な撮影光の照射は困難であることがわかる。
【００２８】
これに対し、図７に示すように、本発明の光源を用いると、光源の照射角の範囲内にレンズの写角が全て含まれることがわかる。これにより近接撮影に適する撮影光が得られることがわかる。
【００２９】
なお、図７の例のように、左右（本実施例の場合は周囲）から複数の光源により撮影光を照射することが望ましいが、仮に、左右いずれか一方のみの光源であったとしても光源の照射角の範囲内にレンズの写角が全て含まれており、図５で示したようなリング状の光源を用いずに、一つのＬＥＤ８−２および一片のコリメートレンズ８−１により光源が構成されていても近接撮影に必要な撮影光が得られることがわかる。
【００３０】
（応用例）
（例１）被写体としてユーザの肌を開口部５に押し当てて撮影し、その撮影画像を携帯電話１０により所定の宛先に送信し、当該所定の宛先では、送られて来た肌の画像を解析することにより、肌の状態（保水性、きめ細かさ、メラニン色素の沈着状態など）を診断し、その診断結果をユーザの携帯電話１０に返信するといった肌診断サービスに利用することができる。
【００３１】
特に、開口部５は空洞であることから、開口部５を肌に押し当てても、開口部５の縁が肌に当たるだけで、被写体となる肌の表面の凹凸状態に変化を及ぼす要因が無く、肌の表面の様子を撮影するのに最適である。
【００３２】
また、実質的に、観察対象の横あるいは斜め方向から光を当て、観察対象からの回折光あるいは拡散光を取り込んで観察を行う暗視野観察と同じ原理となり、肌の凹凸を明瞭に撮影できるため、これによっても正確な肌診断が可能になる。
（例２）従来は小さ過ぎて撮影困難であったような雑誌や新聞などの小さな記事や写真に開口部５を押し当てて撮影することにより、鮮明な画像によりこれらの記事や写真を記録することができる。
【産業上の利用可能性】
【００３３】
本発明によれば、カメラ装置付き携帯電話の手軽さを損なうことなく、近接撮影を可能とすることができるため、カメラ装置付き携帯電話の利用範囲を拡大し、カメラ装置付き携帯電話のさらなる普及に寄与することができる。
【図面の簡単な説明】
【００３４】
【図１】本実施形態のレンズアタッチメントを携帯電話に装着した状態の斜視図。
【図２】本実施形態のレンズアタッチメントを携帯電話に装着した状態の上面図。
【図３】本実施形態のレンズアタッチメントを携帯電話に装着した状態の正面図。
【図４】本実施形態のレンズアタッチメントの構成図。
【図５】リング状のコリメートレンズおよびリング状に配置されたＬＥＤを示す図。
【図６】従来のスナップ撮影用の光源を用い近接撮影の状況を示す図。
【図７】本発明の光源を用いた近接撮影の状況を示す図。
【符号の説明】
【００３５】
１  レンズ保持部
１−１、１−２  支持板
１−３  保持板
１−４、１−５  軸
２  レンズ装置
３  スイッチ
４  電池箱
５  開口部
６  レンズ部
７  空間部
８  光源
８−１  コリメートレンズ
８−２  ＬＥＤ
９  電源
１０  携帯電話
１１  保護ガラス
１２  レンズ（携帯電話側）
【図１】
2009063857.tif 000003
【図２】
2009063857.tif 000004
【図３】
2009063857.tif 000005
【図４】
2009063857.tif 000006
【図５】
2009063857.tif 000007
【図６】
2009063857.tif 000008
【図７】
2009063857.tif 000009